(57)【特許請求の範囲】
【請求項１】
左右一対の松葉杖と前記両松葉杖の間に架設される座とからなり、前記各松葉杖は把部を有する脚部材が脇板に軸継手により軸着されているとともに、前記座は全体がほぼ矩形状の座本体とこの座本体の四隅に固着したベルトからなり、各ベルトが前記左右一対の松葉杖の各脇板に配置した軸継手を用いた軸着部にそれぞれ回動可能に支持されて吊り下げられており、前記各脇板に配置した座を吊り下げる回転止着具が前記各脇板の脚部材の軸着部の前後方向の両側にそれぞれ配置されている座付き松葉杖。
【請求項２】
前記各軸継手としてボールベアリングが採用されている請求項１記載の座付き松葉杖。
【請求項３】
前記脚部材に付設した把部として楕円形のものを用いた請求項１または２記載の座付き松葉杖。
【発明の詳細な説明】
【０００１】
【発明の属する技術分野】
本発明は、けが人、老人、身障者など一方の足が不自由で自立歩行が困難な場合に歩行の補助具として用いられるいわゆる松葉杖に関するものである。
【０００２】
【従来の技術】
従来、主として片側の足が不自由で自立歩行が困難な場合に古くから松葉杖が用いられている。
【０００３】
そして、従来の松葉杖は、脇板の下方に脚部材を固着したものであり、使用に際しては、脇板を脇の下に挟み、把部を掴んで片足と松葉杖を交互に踏み出して歩行するものである。
【０００４】
【発明が解決しようとする課題】
ところが、前記従来の松葉杖は、歩行する際に、全体重を預けた脇板を中心として脚部材を前方および後方へと揺動させるものである。
【０００５】
従って、歩行時に、きわめて小さい面積を有する脇板の上面に全体重が作用し、歩くごとに脇の下に体重の数倍の圧力が作用することになり、脇の下が痛くなって長く歩くことができなかった。殊に、痛みに耐えられない体重の重い者や、老人や病人のように腕力が劣っている者にとって充分な歩行や歩行訓練をすることができなかった。
【０００６】
本発明は、斯る実情に鑑みてなされたものであり、体重を脇板によって直接脇の下に受けることがなく、従って、身体に苦痛を生じることなしにきわめて楽な状態で使用することができる松葉杖を提供するものである。
【０００７】
【課題を解決するための手段】
前記課題を解決するため、本発明は、左右一対の松葉杖と前記両松葉杖の間に架設される座とからなり、前記各松葉杖は把部を有する脚部材が脇板に軸着されているとともに、前記座は前記互いに対向して配置された前記左右一対の松葉杖の各脇板に配置した回転止着具を介して吊り下げられていることを特徴とする。
【０００８】
座に座ったように体重を座に預け、それを脇板を介して脚部材で受けることにより、体重を脇の下で受けることがなく、脇の下が痛くならない。
【０００９】
また、使用者は座った状態できわめて楽に歩行することができ、特に、脚部材が脇板に軸着されていることから、脚部材の前後方向の移動が円滑である。
【００１０】
加えて、各脇板に配置した回転止着具が各脇板の脚部材の軸着部の前後方向の両側にそれぞれ配置されている場合には、歩行時に脚部材が前後に揺動しているときにも身体を支える座は常に垂直状態を保つことになり、正しい姿勢を保って歩行することができる。
【００１１】
更に、脚部材が長さを調節可能である場合には使用者の身体に合わせて調節使用することができ、脚部材の少なくとも一方に足の吊り下げベルトが付設されている場合には悪い方の足を吊り下げることができ、悪い方の足をあげておく必要がなく、きわめて楽に歩行することができる。
【００１２】
【発明の実施の形態】
次に本発明の実施の形態について図面を参照して詳細に説明する。
【００１３】
図１は本発明の好ましい実施の形態を示すものであり、座付き松葉杖１は、左右一対の松葉杖２ａ，２ｂと前記両松葉杖２ａ，２ｂの間に架設される座３とから構成される。
【００１４】
そして、前記各松葉杖２ａ，２ｂはそれぞれ把部４ａ，４ｂを有する脚部材５ａ，５ｂが両端が上方に向けて湾曲している円弧形の脇板６ａ，６ｂのほぼ中央に軸着されている。本実施の形態では、各把部４ａ，４ｂは楕円形であり、脚部材５ａ，５ｂは先部が伸縮自在の二重構造の例えばアルミニウムなどの軽量で堅牢な材料によりパイプ状に形成されており、調節機構５１ａ，５１ｂにより全全体の長さが調節可能である。尚、脚部材５ａ，５ｂには体重が軸方向に掛かることから調節機構５１ａ，５１ｂとして調節ねじだけによらず、例えばバネ付き突起のような係止機構を併用するとよい。
【００１５】
また、図２に示すように、各脚部材５ａ，５ｂの脇板６ａ，６ｂへの取付部には軸継手７としてボールベアリングが採用されており、各脇板６ａ，６ｂに各脚部材５ａ，５ｂ方向に全体重のように大きな荷重が作用しても少ない力できわめて円滑に回動して揺動させることができる。
【００１６】
更に、本実施の形態では、座３は全体がほぼ矩形状の例えばポリアミド繊維のような強靱な布製の座本体３１とこの座本体３１の四隅に縫着したベルト３１ａ，３２ａおよび３１ｂ，３２ｂからなり、各ベルト３１ａ，３２ａおよび３１ｂ，３２ｂが前記左右一対の松葉杖２ａ，２ｂの各脇板６ａ，６ｂに配置した例えばボールベアリングなどの軸継手７を用いた回転止着具６１ａ，６２ａおよび６１ｂ，６２ｂにそれぞれ回動可能に支持されている。
【００１７】
尚、座３には座った状態で座３に身体を保持させるための２本の補助ベルト８１，８２が付設されている。この補助ベルト８１，８２は座本体３１の四隅に縫着したベルト３１ａ，３１ｂおよび３２ａ，３２ｂの取付部に基端をそれぞれ縫着させたベルト片８１ａ，８１ｂおよび８２ａ，８２ｂからなり、全体長さが調節可能であるとともに前方に配置した着脱自在のスナップ部材により開閉自在に形成されている。
【００１８】
このように構成される本実施の形態である座付き松葉杖１を使用するには、図３乃至図５に示すように、座３を尻の部分にあててスナップ部材を開閉して補助ベルト８１を締結する。このとき、後側に位置するベルト３１ａ，３１ｂ側の補助ベルト８１を腰のあたりに締結し、前側に位置するベルト３２ａ，３２ｂ側の補助ベルト８２を大腿部のあたりに締結する。
【００１９】
次に、左右の松葉杖２ａ，２ｂに付設されている把部４ａ，４ｂを握って脚部材５ａ，５ｂを立脚する。このとき、脇板６ａ，６ｂが腋の下よりも下方に位置するように調節機構５１ａ，５１ｂを用いて予め脚部材５ａ，５ｂの長さを調節しておく。
【００２０】
そして、必要であれば、悪い方の足（本実施の形態では左側）側の脚部材５ｂに備えた吊り下げベルト１０に足を吊り下げ、従来の松葉杖と同様に良い方の足で自立した状態で、両手で握った楕円形の把部４ａ，４ｂを介して脚部材５ａ，５ｂを前方に突き出すとともに、両手と良い方の足を利用して前記前方に突き出した脚部材５ａ，５ｂに体重を預けて身体を前方に突き出す動作を繰り返して歩行するものである。
【００２１】
従来の松葉杖では脇の下を脇板に当てて体重を支えた状態で地面に着いた脚部材を先端を軸として回動（揺動）させながら歩行するので、身体を前方に突き出すときに脚部材の回動運動により脇の下が上方に押されて全体重がきわめて小さい面積である脇板に掛かり、痛みを生じることから長時間の歩行が困難であり、また、全体重を脇の下で支えた状態で脚部材を前方へ突き出さなければならず老人や体力が充分でない病人などには使い勝手が悪かったのに対して、本実施の形態では、座３に座った状態で脚部材５ａ，５ｂを前方に突き出すとともに、両手と良い方の足を利用して前記前方に突き出した脚部材５ａ，５ｂを立脚状態にすればよい。
【００２２】
このとき、体重は座３に掛けておけばよく、つまり、座３はベルト３１ａ，３１ｂおよび３２ａ，３２ｂを介して円弧形の脇板６ａ，６ｂの回転止着具６１ａ，６２ａおよび６１ｂ，６２ｂにそれぞれ回動可能に支持されているので、座３に座ったままの状態で体重は円弧形の脇板６ａ，６ｂそのものに支持され、常に身体は正常つまり傾くことなしに垂直方向に支持されるので無理な姿勢をとることなしに、脚部材５ａ，５ｂを回動（揺動）させることができ、殊に、各脚部材５ａ，５ｂの脇板６ａ，６ｂへの取付部には軸継手７としてボールベアリングが採用されており、各脇板６ａ，６ｂに各脚部材５ａ，５ｂ方向に全体重のように大きな荷重が作用しても少ない力できわめて円滑に回動して揺動させることができる。
【００２３】
尚、本実施の形態では、脚部材５ａ，５ｂに付設した把部４ａ，４ｂとして楕円形のものを用いたため、手を真下に伸ばした状態で握れることから操作性に優れているが、これに限らず、前方あるいは後方などに突出した棒状のものなど他の構成であっても良い。
【００２４】
また、図６は座３の異なる実施の形態を示すものであり、座本体３１がほぼ三角形状で、ベルト３２ａおよび３２を頂点で互いに結合するようにしたものであり、ベルト３２ａおよび３２により形成される二つの輪の中に両足をそれぞれ片側ずつ差し込むものであり、前記実施例のように補助ベルトを必要としない。
【００２５】
【発明の効果】
以上のように本発明は、座に掛かる体重を脇板を介して脚部材で受けることにより、使用者は恰も座った状態で歩行することができ、体重を脇の下で受けることがなく、きわめて楽に歩行することができ、特に、脚部材が脇板に軸着されていることから、脚部材の前後方向の移動が円滑である。
【００２６】
加えて、各脇板に配置した回転止着具が各脇板の脚部材の軸着部の前後方向の両側にそれぞれ配置されている場合には、歩行時に脚部材が前後に揺動しているときにも身体を支える座は常に垂直状態を保つことになり、正しい姿勢を保って歩行することができる。
【００２７】
更に、脚部材が長さを調節可能である場合には使用者の身体に合わせて調節使用することができ、脚部材の少なくとも一方に足の吊り下げベルトが付設されている場合には悪い方の足を吊り下げることができ、悪い方の足をあげておく必要がなく、きわめて楽に歩行することができる。
【図面の簡単な説明】
【図１】本発明の好ましい実施の形態を示す斜視図。
【図２】図１に示した実施の目形態についての脇板部分の拡大部分図。
【図３】図１に示した実施の形態の使用状態を示す説明図。
【図４】図１に示した実施の形態の使用状態を示す説明図。
【図５】図１に示した実施の形態の使用状態を示す説明図。
【図６】座の異なる実施の形態を示す説明図
【符号の説明】
１  座付き松葉杖、２ａ，２ｂ  松葉杖、３  座、４ａ，４ｂ  把部、６ａ，６ｂ  脇板、６１ａ，６１ｂ，６２ａ，６２ｂ  回転止着具、７  吊り下げベルト
【図１】
0004092095.tif 000002
【図２】
0004092095.tif 000003
【図３】
0004092095.tif 000004
【図４】
0004092095.tif 000005
【図５】
0004092095.tif 000006
【図６】
0004092095.tif 000007